(57)【要約】      （修正有）【課題】クリック感の有無を切り替え可能で、クリック感のない状態でも適度な抵抗感があって操作感に優れ、防滴性を有するダイヤルユニットを備える電子機器を提供する。【解決手段】外周部に波面形状部３３ｃが設けられた切替部材３３がダイヤル２５と一体化されて、スライド部材３１によって回転自在に保持される。切替部材３３の外周面にボール３５がバネ３６によって圧接される。ダイヤル２５を、その回転軸方向に沿ってスライドさせることにより、ボール３５が波面形状部３３ｃと当接した状態と当接しない状態とに切り替えられる。それぞれの状態でダイヤル２５を回転操作すると、クリック感のある状態、無い状態となる。クリック感の無い状態では、切替部材３３に一体形成された弾性部３３ｇがベース３２に対して摺接するので、ダイヤル２５の回転操作時に適度な抵抗感が得られる。弾性部３３ｇにより、ダイヤルユニットの防滴性を向上可能となる。【選択図】図３
2016133686.tif 000002
【特許請求の範囲】
【請求項１】
外装カバー（４０）と、
前記外装カバー（４０）に締結され凹部（３２ａ）を有するベース（３２）と、
前記外装カバー（４０）と前記ベース（３２）の間で圧接される弾性部（３２ｆ）と、
前記ベース（３２）の凹部（３２ａ）内で第１の位置と第２の位置の間をスライドするスライド部材（３１）と、
前記スライド部材（３１）の凹部（３１ａ）内で回転するダイヤル（２５）と、
前記ベース（３２）の開口（３２ｂ）と前記スライド部材（３１）の開口（３１ｂ）を貫通し、前記ダイヤル（２５）と締結される軸部（３３ａ）を有し、傾斜部（３３ｈ）が形成された波面形状部（３３ｃ）と円筒形状部（３３ｄ）が前記スライド部材（３１）のスライド方向に隣接して形成された切替部材（３３）と、
前記ベース（３２）と対向する面に設けられ、前記切替部材（３３）に固定された弾性部（３３ｇ）と、
前記切替部材（３３）の波面形状部（３３ｃ）に係合する係合手段（３５、３６）と、
前記スライド部材（３１）を第１の位置と第２の位置でそれぞれ保持するための保持手段
（３１ｄ、３２ｆ）と、
非接触で前記ダイヤル（２５）の回転を検知する回転検出手段（３３ｅ、３３ｆ、３７ａ）と、を有するダイヤルユニットにおいて、
第１の位置では前記切替部材（３３）に固定された弾性部（３３ｇ）は前記ベース（３２）から離間し、且つ前記係合手段（３５、３６）は前記切替手段（３３）の波面形状部（３３ｃ）に係合し、
第２の位置では前記切替部材（３３）に固定された弾性部（３３ｇ）は前記ベース（３２）に圧接し、且つ前記係合手段（３５、３６）は前記切替手段（３３）の円筒形状部（３３ｄ）に圧接することを特徴とするダイヤルユニットを備える電子機器。
【請求項２】
前記係合手段（３５、３６）は、ボール（３５）とバネ（３６）から構成されていることを特徴とする請求項１に記載のダイヤルユニットを備える電子機器。
【請求項３】
前記保持手段（３１ｄ、３２ｆ）は、前記スライド部材（３１）に形成されたバネ部（３１ｄ）と前記ベース（３２）に形成された突起部（３２ｆ）から構成されていることを特徴とする請求項１又は請求項２に記載のダイヤルユニットを備える電子機器。
【請求項４】
前記回転検出手段（３３ｅ、３３ｆ、３７ａ）は光学センサ（３７ａ）と前記切替部材（３３）に施された明暗検出部（３３ｅ、３３ｆ）から構成されていることを特徴とする請求項１乃至請求項３の何れか一項に記載のダイヤルユニットを備える電子機器。
【請求項５】
前記回転検出手段は磁気センサと前記切替部材（３３）に固定されたリング形状で円周方向にＳ極とＮ極が一定のピッチで交互に着磁されたマグネットから構成されていることを特徴とする請求項１乃至請求項４の何れか一項に記載のダイヤルユニットを備える電子機器。
【請求項６】
前記切替部材（３３）の円筒形状部（３３ｄ）の外周に弾性部を有することを特徴とする請求項１乃至請求項５の何れか一項に記載のダイヤルユニットを備える電子機器。
【請求項７】
前記ボール（３５）は弾性部材から成ることを特徴とする請求項１乃至請求項６の何れか一項に記載のダイヤルユニットを備える電子機器。
【請求項８】
前記外装カバー（４０）と前記ベース（３２）の間で圧接される弾性部（３２ｆ）は前記外装カバー（４０）もしくは前記ベース（３２）に一体成形されていることを特徴とする請求項１乃至請求項７の何れか一項に記載のダイヤルユニットを備える電子機器。
【発明の詳細な説明】
【技術分野】
【０００１】
本発明は、ダイヤルユニットを備える電子機器に関し、特に回転操作時にクリック感の有無を切り替え可能にする切り替え機構に関する。
【背景技術】
【０００２】
従来、デジタルカメラには、撮影に際してオート撮影、絞り優先撮影、シャッター速度優先撮影等の各種モードを切り替えるためのダイヤルや、絞り値、シャッター速度、ＩＳＯ感度等のパラメータを変更するダイヤル等、各種ダイヤルが備えられている。
【０００３】
ダイヤルには、ユーザーが意図したモードや値でダイヤルを停止し易いようにクリック感を発生させるためのクリック機構が設けられているものがある。クリック機構は、外周面に波面が形成された部材に対し、ボールをバネで圧接させる構成のものが知られているが、クリック感発生時に波面とボールが衝突しクリック音が発生する。そのため、動画中に使用するダイヤルの場合、ダイヤルを回転させる際のクリック音が同時に記録されてしまい易い。
【０００４】
一方で、ダイヤル操作により変更するパラメータによってはクリック感が無い方が好ましいこともある。例えば、レンズのズーム倍率や焦点位置等の変更であれば、クリック感が無い方が望ましい。
【０００５】
そこで、特許文献１では、ボールと波面形状を圧接させクリック感が発生する状態と、ボールを退避させクリック感が発生しない状態とを切り替えられる構成としている。さらに、クリック感が発生する状態では、スイッチからの出力値が離散的なカメラモード等の切り替えを行い、クリック感が発生しない状態では、出力値が連続的なレンズのズーム倍率の変更等を行えるようにしている。
【先行技術文献】
【特許文献】
【０００６】
【特許文献１】特開２０１４−２１２４５号公報
【発明の概要】
【発明が解決しようとする課題】
【０００７】
しかしながら、上述の特許文献１に開示された従来技術では、ボールを退避させクリック感が発生しない状態にした際、ダイヤルへの摩擦が低減され操作力が軽くなってしまうことで、操作感が損なわれてしまう。また、ダイヤルには様々な環境下で撮影を行えるように、防滴性を持たせているものもあるが、上述の特許文献では対応していない。
【０００８】
そこで、本発明は、ダイヤルのクリック感の有無を切り替えることが可能であり、クリック感が発生しない状態でも、ダイヤルへ適度な抵抗感を与えることで操作感を損なうことが無く、防滴性を有するダイヤルユニットを備える電子機器を提供することを目的とする。
【課題を解決するための手段】
【０００９】
上記の目的を達成するために、本発明のダイヤルユニットを備える電子機器は、
外装カバーと、前記外装カバーに締結され凹部を有するベースと、前記外装カバーと前記ベースの間で圧接される弾性部と、前記ベースの凹部内で第１の位置と第２の位置の間をスライドするスライド部材と、前記スライド部材の凹部内で回転するダイヤルと、前記ベースの開口と前記スライド部材の開口を貫通し、前記ダイヤルと締結される軸部を有し、傾斜部が形成された波面形状部と円筒形状部が前記スライド部材のスライド方向に隣接して形成された切替部材と、前記ベースと対向する面に設けられ、前記切替部材に固定された弾性部と、前記切替部材の波面形状部に係合する係合手段と、前記スライド部材を第１の位置と第２の位置でそれぞれ保持するための保持手段と、非接触で前記ダイヤルの回転を検知する回転検出手段とを有するダイヤルユニットにおいて、第１の位置では前記切替部材に固定された弾性部は前記ベースから離間し、且つ前記係合手段は前記切替手段の波面形状部に係合し、第２の位置では前記切替部材に固定された弾性部は前記ベースに圧接し、且つ前記係合手段は前記切替手段の円筒形状部に圧接することを特徴とする。
【発明の効果】
【００１０】
本発明によれば、ダイヤルのクリック感の有無を切り替えることが可能であり、クリック感が発生しない状態でも、ダイヤルへ適度な抵抗感を与えることで、操作感を損なうことが無く、防滴性を有するダイヤルユニットを備える電子機器の提供を実現できる。
【図面の簡単な説明】
【００１１】
【図１】本発明のデジタルカメラ１０の外観を示す、背面側から見た斜視図である。
【図２】本発明のダイヤルユニット３０の分解斜視図である。
【図３】本発明のダイヤルユニット３０のクリック感有りの状態を示す図である。
【図４】本発明のダイヤルユニット３０のクリック感無しの状態を示す図である。
【発明を実施するための形態】
【００１２】
以下、本発明の実施形態の一例を図１〜４を参照しながら詳細に説明する。
【実施例１】
【００１３】
図１において、デジタルカメラ１０の前面には、不図示の被写体像を撮像素子に結像する沈胴式の撮像ユニットが配置されている。撮像ユニットには、光学像を光電変換して画像データを生成するＣＣＤやＣＭＯＳイメージセンサ等の撮像素子（不図示）が実装されている。撮像素子（不図示）で生成した画像データは、デジタルカメラ１０に実装された信号処理基板（不図示）の処理回路によりデジタル情報に変換される。信号処理基板には、カードＩ／Ｆ等を含む記録媒体スロットや撮像部、画像処理部、システム制御部、シリアルＩ／Ｆ等が実装されている。
【００１４】
デジタルカメラ１０の上面には、デジタルカメラ１０の電源オンとオフの操作を行う電源ボタン２１が配置されている。その前面側には、撮像準備および撮像操作の指示を行うレリーズボタン２２が設けられている。レリーズボタン２２を半押し操作すると、撮影準備動作（測光動作や測距動作等）が開始される。レリーズボタン２２を全押し操作すると、被写体を撮影し、記録媒体収納室に挿着した記録媒体に被写体像の画像データを記録する。
【００１５】
レリーズボタン２２の外周部には、レリーズボタン２２を中心に所定の角度で回動し、撮影画角の変更を行うズームレバー２３が配置されている。デジタルカメラ１０の筐体上面から見て時計回りに回転させると、撮像ユニットがテレ側（画角が狭くなる方向）にズーム動作を行い、逆に反時計回りに回転させると撮像ユニットがワイド側（画角が広くなる方向）にズーム動作を行う。
【００１６】
電源ボタン２１の横にはモードダイヤル２４が配置されている。モードダイヤル２４は回転させることで、マニュアルモード、絞り優先モード、シャッター速度優先モード、動画モードなど様々なモードを切り替えることができる。
【００１７】
ズームレバー２３とモードダイヤル２４の間には電子ダイヤル２５（以下、ダイヤル）が配置されている。ダイヤル２５は回転させることで、ユーザーが選択したモードや、ユーザーが割り当てた機能に応じた各種パラメータを変更することができる。例えば、シャッター優先モードに設定した場合はシャッター速度の変更を行うことができる。デジタルカメラ１０の背面には撮影した画像や、ライブビュー画像を表示する表示装置２６が配置されている。
【００１８】
図２を用いてダイヤル２５を含むダイヤルユニット３０の構成について説明する。ダイヤル２５には凹部２５ａとビス穴２５ｂが形成されている。ダイヤル２５はスライド部材３１の凹部３１ａに挿入される。さらに、ダイヤル２５とスライド部材３１はベース３２の凹部３２ａに挿入される。
【００１９】
切替部材３３の軸部３３ａ及び軸部３３ａの先端に形成された規制部３３ｂはベース３２の開口３２ｂ、スライド部材３１の開口３１ｂ、ダイヤル２５の凹部２５ａの順に挿入される。
【００２０】
ダイヤルの凹部２５ａ及び切替部材３３の規制部３３ｂは円筒形状の上下を一部カットした形状となっている。そのため、ダイヤルの凹部２５ａに切替部材３３の規制部３３ｂが係合すると、ダイヤル２５と切替部材３３は一体となって回転する。
【００２１】
次にビス３４を切替部材３３を介してダイヤル２５のビス穴２５ｂに締結することでダイヤル２５と切替部材３３はスライド部材３１とベース３２に対して回転可能に保持される。ベース３２の溝部３２ｃにはボール３５とバネ３６が挿入される。ボール３５はバネ３６によって切替部材３３の波面形状部３３ｃもしくは円筒形状部３３ｄに圧接される。ボール３５が波面形状部３３ｃに圧接されている際は、ダイヤル２５を回転させるとボール３５が波面形状部３３ｃとの係合と脱出を繰り返しクリック感が発生する。
【００２２】
フレキシブル基板３７には、ダイヤル２５の回転を検知するための不図示の光学式センサ３７ａが２つ実装されている。光学式センサ３７ａは切替部材３３の円周方向に一定のピッチで設けられた印刷部３３ｅと非印刷部３３ｆに投光し、その反射光を受光することによりダイヤル２５の回転量及び回転方向を検知する。
【００２３】
カバー３８はフレキシブル基板３７の位置決め及び保持を行うと共に、ベース３２の溝部３２ｃからボール３５とバネ３６が脱落しないように凸部３８ａが具備されている。カバー３８はビス３９によりカバー３８の開口３８ｂを介してベース３２のビス穴３２ｄに締結される。以上により一体となったダイヤルユニット３０をベース３２の開口３２ｅを介して外装カバー４０の不図示のビス穴にビス４１で締結する。
【００２４】
図３と図４を用いてダイヤル２５のクリック感の有無の切替えについて説明する。図３（ａ）はクリック感有りの状態の断面図、図３（ｂ）はクリック感有りの状態での外装カバー４０を外した上面図である。また、図４（ａ）はクリック感無しの状態の断面図、図４（ｂ）はクリック感無しの状態での外装カバー４０を外した上面図である。
【００２５】
ダイヤル２５とスライド部材３１と切替部材３３はベース３２に対してスライド可能に取り付けられている。スライド部材３１は突起部３１ｃと不図示のリブがベース３２の不図示の壁部と外装カバー４０とで挟まれることにより高さ方向が規制されている。ダイヤル２５をスライドさせることで、図３と図４の状態を切替えられるが、それぞれの状態を保持するためにスライド部材３１に形成されたバネ部３１ｄをベース３２に形成された突起部３２ｆで規制している。
【００２６】
ダイヤル２５を図３の状態からスライドさせると、スライド部材３１のバネ部３１ｄが内側に撓みベース３２の突起部３２ｆを乗り越える。よってダイヤル２５は図４の状態で保持されることになる。切替部材３３にはダイヤル２５のスライド方向に波面形状部３３ｃと円筒形状部３３ｄが隣接して形成されている。そのため、図３の状態では切替え部材３３の波面形状部３３ｃにボール３５がバネ３６により圧接された状態となり、ダイヤル２５を回転させると、切替部材３３の波面形状部３３ｃにボール３５が係合と脱出を繰り返しクリック感が発生する。
【００２７】
また、図４の状態では切替部材３３の円筒形状部３３ｄにボール３５が圧接した状態となるためダイヤル２５を回転させてもクリック感は発生しない。またこの状態では、切替部材３３に一体成形された弾性部３３ｇがベース３２に圧接した状態となる。そのため、ベース３２と弾性部３３ｇとの摩擦によりダイヤル２５の操作時に適度な抵抗感が与えられる。ここでの抵抗感は弾性部３３ｇのベース３２へのチャージ量、弾性部３３ｇの硬度等で適宜調整可能である。
【００２８】
ベース３２と外装カバー４０の当接部にはベース３２に弾性部３２ｇを一体成形し外装カバー４０に圧接させることで、ベース３２より内部に水が侵入しないように防滴性を持たせている。図４の状態では、切替部材３３の弾性部３３ｇがベース３２に圧接しているため、切替部材３３の軸部３３ａとベース３２の開口３２ｂの隙間から水が侵入してきたとしても遮断できるため、より防滴性を向上させることができる。図４の状態から図３の状態に戻す際には、位相によってボール３５が切替部材３３の波面形状部３３ｃに当ることがある。そのため、波面形状部３３ｃの円筒形状部３３ｄ側に傾斜部３３ｈを設けており、どの位相であってもスムーズにスライドできるようになっている。
【００２９】
以上説明したように、本実施形態によれば、ダイヤルのクリック感の有無を切り替えることが可能であり、クリック感が発生しない状態でも、ダイヤルへの適度な抵抗感を与え、操作感を損なうことが無く、防滴性を有するダイヤルユニットを提供することができる。
【００３０】
以上、本発明の実施形態について説明したが、本発明はこれらの実施形態に限定されず、その要旨の範囲内で種々の変形及び変更が可能である。例えば、本実施例ではベース３２と切替部材３３の弾性部３２ｇと３３ｇはそれぞれ一体成形としているが、別体の部品を固定してもよい。また、ダイヤルの操作に抵抗感を与えるために、切替部材３３の円筒形状部３３ｄの外周に弾性部材を一体成形もしくは固定し、ボール３５との摩擦を大きくしてもよい。もしくはボール３５を弾性部材にすることで切替部材３３の円筒形状部３３ｄとの摩擦を大きくしてもよい。
【００３１】
また、本実施例ではダイヤルの回転方向と回転量の検知を光学式センサで行っているが、切替え部材３３にリング形状で円周方向にＳ極とＮ極が一定のピッチで交互に着磁されたマグネットを固定し、磁気式センサを用いて検知してもよい。
【符号の説明】
【００３２】
２５  ダイヤル、３１  スライド部材、３１ａ  凹部、３１ｂ  開口、３１ｄ  バネ部、
３２  ベース、３２ａ  凹部、３２ｂ  開口、３２ｆ  突起部、３２ｇ  弾性部、
３３  切替部材、３３ａ  軸部、３３ｃ  波面形状部、３３ｄ  円筒形状部、
３３ｅ  印刷部、３３ｆ  非印刷部、３３ｇ  弾性部、３３ｈ  傾斜部、３５  ボール、
３６  バネ、３７ａ  光学式センサ、４０  外装カバー
【図１】
2016133686.tif 000003
【図２】
2016133686.tif 000004
【図３】
2016133686.tif 000005
【図４】
2016133686.tif 000006